(57)【要約】      （修正有）【課題】給紙されるインデックス用紙にジャムが起きた時、ジャムの解除により生じる給紙順の狂い調整を不要なインデックス用紙の排除をせず行う。【解決手段】順序が定められた所定枚数からなるインデックス用紙を複数組積載した給紙トレイ１０４と、給紙トレイから給紙されるインデックス用紙にジャムが起きた時、ジャムにより狂った順序を正常な順序に調整するインデックス用紙の搬送制御を行うコントローラ１０３を有する給紙装置であり、給紙トレイにおいてインデックス用紙の格納、取出の際の給紙トレイの状態変化を検知する状態変化検知手段（給紙トレイオープン検知手段１１０）を備え、コントローラは、ジャムによりインデックス用紙の給紙が停止している間に状態変化検知手段によって給紙トレイの状態変化（オープン）が検知されたことを条件に、正常な順序に調整するために行う、不要となるインデックス用紙の強制排紙制御を行わないようにする。【選択図】図１
2014196195.tif 000002
【特許請求の範囲】
【請求項１】
順序がそれぞれ定められた所定枚数からなる一揃いのインデックス用紙を複数組積載した給紙トレイから、積載順に給紙されるインデックス用紙にジャムが起きたとき、前記ジャムにより狂う給紙順序を正常な順序に調整するインデックス用紙の搬送制御を行う給紙装置であって、
前記給紙トレイへのインデックス用紙の格納、取出の際に生じる給紙トレイの状態変化を検知する状態変化検知手段と、
前記ジャム発生時にインデックス用紙の給紙が停止している間に、前記状態変化検知手段による前記給紙トレイの状態変化の検知がされないことを条件に、給紙順序を正常な順序に調整するために不要となるインデックス用紙の強制排紙を行う一方、前記状態変化検知手段による前記給紙トレイの状態変化の検知がされることを条件に、前記不要となるインデックス用紙の強制排紙を行わないようにする用紙搬送制御手段と
を有する給紙装置。
【請求項２】
請求項１に記載された給紙装置において、
前記給紙トレイの状態変化は、前記給紙トレイにおける用紙格納部のオープンであって、
前記状態変化検知手段は、前記給紙トレイにおける用紙格納部のオープンを検知する手段である
給紙装置。
【請求項３】
請求項１又は２に記載された給紙装置において、
前記用紙搬送制御手段による前記不要となるインデックス用紙の強制排紙を行うか否かを選択する入力操作を受付ける操作入力手段を備えた給紙装置。
【請求項４】
順序がそれぞれ定められた所定枚数からなる一揃いのインデックス用紙を複数組積載した給紙トレイから、積載順に給紙されるインデックス用紙にジャムが起きたとき、前記ジャムにより狂う給紙順序を正常な順序に調整するインデックス用紙の搬送制御を行う給紙装置であって、
前記給紙トレイとは別に、ジャム発生時の補給用インデックス用紙が積載可能な補給用給紙トレイを用意し、当該補給用給紙トレイからの給紙を行う手段と、
前記給紙トレイから給紙されるインデックス用紙に起きたジャムをジャムの解除条件を付加して報知し、当該ジャムの報知を行った後に前記補給用給紙トレイからの給紙の実行を指示する操作入力を受付けるユーザーインターフェースと、
前記ユーザーインターフェースを通して、給紙の実行指示を受付けたことを条件に、前記補給用給紙トレイからの給紙を行う手段に切り替えて、前記給紙トレイから給紙され前記ジャムが起きたインデックス用紙に代えて前記補給用給紙トレイから補給されるインデックス用紙を給紙することで前記ジャムにより狂う給紙順序を正常な順序に調整するインデックス用紙の搬送制御手段と
を有する給紙装置。
【請求項５】
請求項１乃至３のいずれかに記載された給紙装置において、
前記給紙トレイとは別に、ジャム発生時の補給用インデックス用紙が積載可能な補給用給紙トレイを用意し、当該補給用給紙トレイからの給紙を行う手段と、
前記給紙トレイから給紙されるインデックス用紙に起きたジャムをジャムの解除条件を付加して報知し、当該ジャムの報知を行った後に前記補給用給紙トレイからの給紙の実行を指示する操作入力を受付けるユーザーインターフェースと、
前記ユーザーインターフェースを通して、給紙の実行指示を受付けたことを条件に、前記補給用給紙トレイからの給紙を行う手段に切り替えて、前記給紙トレイから給紙され前記ジャムが起きたインデックス用紙に代えて前記補給用給紙トレイから補給されるインデックス用紙を給紙することで前記ジャムにより狂う給紙順序を正常な順序に調整するインデックス用紙の搬送制御手段と
を有する給紙装置。
【請求項６】
請求項４又は５に記載された給紙装置において、
前記ユーザーインターフェースは、報知するジャムの解除条件として、前記補給用給紙トレイを特定の補給用給紙トレイに設定するとともに、補給用給紙トレイから先頭に給紙するインデックス用紙を特定の順番の用紙にすることを条件にする
給紙装置。
【請求項７】
請求項５又は６に記載された給紙装置において、
前記用紙搬送制御手段によって、前記不要となるインデックス用紙の強制排紙を行い、補給用給紙トレイからの給紙を行わない動作を選ぶか、又は前記不要となるインデックス用紙の強制排紙を行わず、補給用給紙トレイからの給紙を行う動作を選ぶかを選択する操作入力を受付ける操作入力手段を
有する給紙装置。
【請求項８】
印刷用紙へ画像を形成するプリンタエンジンと、請求項１乃至７のいずれかに記載された給紙装置を有し、
前記給紙装置により給紙されるインデックス用紙を、前記プリンタエンジンにより画像が形成された印刷用紙へ重ね合わせる手段を備える
画像形成装置。
【請求項９】
コンピュータを、請求項１乃至７のいずれかに記載された給紙装置における前記用紙搬送制御手段として機能させるためのプログラム。
【請求項１０】
順序がそれぞれ定められた所定枚数からなる一揃いのインデックス用紙を複数組積載した給紙トレイから、積載順に給紙されるインデックス用紙にジャムが起きたとき、前記ジャムにより狂う給紙順序を正常な順序に調整するインデックス用紙の搬送制御を行う給紙装置における用紙搬送制御方法であって、
前記ジャムによりインデックス用紙の給紙が停止している間に、前記給紙トレイにおいて前記給紙トレイへのインデックス用紙の積載、取出の際に生じる給紙トレイの状態変化を検知する状態変化検知工程と、
前記ジャム発生時にインデックス用紙の給紙が停止している間に、前記状態変化検知工程で前記給紙トレイの状態変化が検知されないことを条件に、給紙順序を正常な順序に調整するために不要となるインデックス用紙の強制排紙を行う用紙搬送制御工程と、
前記ジャム発生時にインデックス用紙の給紙が停止している間に、前記状態変化検知工程で前記給紙トレイの状態変化が検知されたことを条件に、前記不要となるインデックス用紙の強制排紙を行わないようにする用紙搬送制御工程と
を有する用紙搬送制御方法。
【請求項１１】
順序がそれぞれ定められた所定枚数からなる一揃いのインデックス用紙を複数組積載した給紙トレイから、積載順に給紙されるインデックス用紙にジャムが起きたとき、前記ジャムにより狂う給紙順序を正常な順序に調整するインデックス用紙の搬送制御を行う給紙装置における用紙搬送制御方法であって、
前記給紙トレイとは別に、ジャム発生時の補給用インデックス用紙が積載可能な補給用給紙トレイを用意し、当該補給用給紙トレイから給紙を行う工程と、
ユーザーインターフェースを通して、前記給紙トレイから給紙されるインデックス用紙に起きたジャムをジャムの解除条件を付加して報知し、当該ジャムの報知を行った後に前記補給用給紙トレイからの給紙の実行を指示する操作入力を受付ける工程と、
給紙の実行指示を受付ける前記工程で受付けた給紙の実行指示に応じ、前記補給用給紙トレイから給紙を行う工程への切り替えを行い、前記ジャムが起きたインデックス用紙に代えて前記補給用給紙トレイから補給されるインデックス用紙を給紙することで前記ジャムにより狂う給紙順序を正常な順序に調整するインデックス用紙の搬送制御工程と
を有する用紙搬送制御方法。
【発明の詳細な説明】
【技術分野】
【０００１】
本発明は、順序がそれぞれ定められた所定枚数からなる一揃いのインデックスに用いる用紙（以下「インデックス用紙」という）を複数組積載し格納する給紙トレイから積載順にインデックス用紙を供給する給紙装置に関し、給紙されるインデックス用紙に紙詰まり（以下「ジャム」という）が起きたときに、ジャムからのリカバリ時に給紙順を調整する用紙搬送制御を行う給紙装置、用紙搬送制御方法、当該用紙搬送制御を行うためのプログラム及び前記給紙装置を有する画像形成装置に関する。
【背景技術】
【０００２】
従来からプリンタ、複合機等の画像形成装置に装備される給紙装置として、通常の印刷に用いる印刷用紙を給紙する給紙トレイ以外に、インデックス用紙を給紙する給紙トレイを設けた構成の給紙装置が知られている。なお、上記のインデックス用紙は、プリンタエンジンに掛けられてプリント出力された印刷用紙に対し重ねて一出力単位（後記「部」参照）とするか或いは各出力単位の間に挿入する形で重ね合わせて、見出しや目印として用いられる紙である。
また、このインデックス用紙には、各々に順番を示す要素を付与した、例えば、表と裏の一対の表紙や、文書の１章，２章，３章・・のように、文書の区切りを順番に表すタブ（後述の図４に示すタブ、参照）を持つ区切り用紙等が含まれる。
この種のインデックス用紙はプリント出力が済んだ用紙に重ね合わされ、部としてまとめられる。印刷要求が複数部の出力である場合、インデックス用紙を格納する給紙トレイには、上記のように順番に従って組み合わされた一揃いのインデックス用紙が複数組重ねて積載し、格納され、積載順に給紙される。
【０００３】
ところで、上記のようなインデックス用紙を用いる画像形成装置において、インデックス用紙のジャムが発生すると、ジャムの原因となったインデックス用紙を除去するだけでは済まない付加的な問題が生じる。これは、ジャムの原因となり除去した用紙は使用しないので、その順番のインデックス用紙は欠番となって、給紙順を狂わせる、という問題である。
この問題に対処し、正常に印刷を再開するための解決手法が既に提案されている。この解決手法は、除去したインデックス用紙の順番が再開時の印刷では先頭になるよう、不要となるインデックス紙の排出を装置側の制御動作により行うもので、例えば、特許文献１（特開２００７−３４１９９号公報、参照）を挙げることができる。
【０００４】
ここで、図を参照して従来提案された解決手法について、より詳しく説明する。
図７は、従来技術におけるインデックス用紙のジャムリカバリを説明する図である。
図７における図７Ａ、図７Ｂいずれも、給紙トレイに積載し格納され、積載順に１枚ずつ給紙されるインデックス用紙を展開して示し、インデックス用紙がどのような操作や動作を受けたかを各インデックス用紙に対応付けて説明している。同図に例示するインデックス用紙は、タブ位置を順番にずらしたタブ１〜５を、この順番で組合せた一揃いのインデックス用紙が、複数組重ねて給紙トレイに積載される。よって、同図中において、排紙は矢印にて示す順序となる。
【０００５】
図７Ａは、従来提案された上記解決手法による場合に相当する。
図７Ａにおいて、１組目のタブ１付きのインデックス用紙とタブ２付きのインデックス用紙は正常に給紙され、排紙により処理が完了する。この状態は、それぞれ図７Ａ中に「ジョブ排紙１」、「ジョブ排紙２」として示している。
この排紙の後、タブ３付きのインデックス用紙にジャムが発生する。その後、ジャムの原因となったタブ３付きのインデックス用紙を除去することにより、ジャム状態が解除される。
このとき、除去されたタブ３付きのインデックス用紙は欠番となるので、ジャムの解除後、そのままの順番で次のタブ４付きのインデックス用紙を用いて給紙すると、給紙順が狂ってしまう。
【０００６】
そこで、画像形成装置の制御システムは、ジャム状態が解除されると、適切なタブ位置であるタブ３付きのインデックス用紙を給紙するために、給紙部及び排紙部に狂った給紙順を調整するための動作を行わせる。
この調整動作は、ジャムが発生したタブ３付きのインデックス用紙に後続する給紙順のタブ４→５→１→２付きのインデックス用紙は使用できないので、これらを強制排紙する。この排紙は、図７Ａ中に連続４枚の「不要紙排紙」として示している。この４枚を不要紙として除くことで、リカバリ完了時に給紙順の先頭にタブ３付きのインデックス用紙を用意する動作である。
【０００７】
画像形成装置の制御システムは、こうした給紙順の調整を行うことでジャムリカバリ処理を完了し、その後、タブ３以降のインデックス用紙を用いる印刷を再開する。
このように、ジャム発生により狂いが生じるインデックス用紙の給紙順を自動排紙により調整することにより、ユーザーはジャムの原因となったインデックス用紙を除去する作業を行うだけで済み、用紙当該ジャム発生時における使い勝手を向上させることが可能になる。
ただ、この自動排紙による調整は、ジャムが起きたインデックス用紙に後続する次の順願からジャムが起きた用紙の直ぐ前の順番の用紙（上記の例では、タブ４→５→１→２の用紙）まで、不要紙として排紙するので、この不要紙の処置をしなければならない。
【０００８】
また、インデックス用紙の給紙順を自動排紙により順番を調整する時に、次に示す動作に至るケースもある。
即ち、ジャムを解除するためにインデックス用紙を除去する作業を行うユーザーは、当該用紙の除去により給紙順に狂いが生じることが分かると、狂った給紙順を整える給紙順の調整を自分の手で行ってしまうことがある。つまり、給紙トレイ内の不要となるインデックス用紙を人手で排除して、給紙順の調整を行う、という事態が起こり得る。
ユーザーが手で上記不要紙を排除して調整を行った場合、画像形成装置の制御システム側は、この人手による調整を認識できないので、ジャムリカバリ処理として、定められた通りにインデックス用の自動排紙により調整を行う。このように二重に調整が実行されると、ユーザーの意に反し、調整が不調になる結果を招いてしまう、という問題が生じる。
【０００９】
図７Ｂは、上記二重調整による問題が生じる場合の動作に相当する。
図７Ｂにおいて、１組目のタブ１とタブ２付きのインデックス用紙は正常に給紙され、排紙により処理が完了する。この状態は、それぞれ図７Ａ中に「ジョブ排紙１」、「ジョブ排紙２」として示している。
この排紙の後、タブ３付きのインデックス用紙にジャムが発生する。その後、ジャムの原因となったタブ３付きのインデックス用紙がユーザーによって除去される。このとき、ユーザーは、除去されたタブ３付きのインデックス用紙は欠番となるので、ジャムの解除後、そのままの順番で次のタブ４付きのインデックス用紙を用いて給紙すると、給紙順が狂ってしまうことに気が付き、狂った給紙順を整える給紙順の調整を手動で行う。この調整は、ジャムが発生したタブ３付きのインデックス用紙に後続する給紙順のタブ４→タブ５→タブ１→タブ２付きのインデックス用紙は使用できないので、これらを給紙トレイから手動で排除する（図７Ｂ中の連続４枚の「不要紙排除」、参照）。この不要紙排除により、給紙順の先頭にタブ３付きのインデックス用紙を用意する。なお、ユーザーは、この手動で行う不要紙排除を、ジャムの用紙除去操作に続けて実施する。
【００１０】
上記の手動による順番調整が実施された後、画像形成装置の制御システムは、ジャムを起こしたタブ３付きのインデックス用紙が除去されたことを認識するので、この認識に従ってジャム状態を解除する。
ただ、画像形成装置の制御システムは、手動の不要紙排除による順番調整が行われたことは認識できないので、上記図７Ａの動作と同様、ジャム状態が解除されると、給紙順を自動排紙により調整する。この場合、一揃いのインデックス用紙はタブ１〜５の５枚のインデックス用紙であるから、適切なタブ付きのインデックス用紙の給紙を可能にする自動排紙は、上記図７Ａと同じ４枚のインデックス用紙の排紙を行う。
【００１１】
この自動排紙は、図７Ｂにおいて、タブ３→タブ４→タブ５→タブ１付きのインデックス用紙を強制排紙する動作に相当し、排紙後、給紙トレイから次に給紙される先頭のインデックス用紙は、タブ２付きのインデックス用紙となる。
このように、給紙順を自動排紙により調整することでジャムリカバリ処理を完了し、印刷を再開する。しかし、この場合、給紙順の調整を、手動の不要紙排除と自動排紙を二重に行った結果、適正な調整ではタブ３付きのインデックス用紙が次の給紙順となるはずのところ、タブ２付きのインデックス用紙が次の給紙順になって、調整が不調になる結果を招いてしまう問題が生じる。
【００１２】
また、この二重調整は、手動の不要紙排除による調整枚数（上記の例では、タブ４→５→１→２の４枚の用紙）と、自動排紙による調整枚数（上記の例では、タブ３→４→５→１の４枚の用紙）が不要紙となって、さらに増加した枚数の不要紙の処置をしなければならない。
上記のように、自動排紙のみを行う場合、手動の不要紙排除と自動排紙を二重に行う場合のいずれの場合にも、不要なインデックス用紙が出るため、この用紙を再使用するための処置を必要として、装置の利便性にとってマイナス要素となる、という問題を生じる。
【発明の概要】
【発明が解決しようとする課題】
【００１３】
本発明の目的は、順序がそれぞれ定められた所定枚数からなる一揃いのインデックス用紙を複数組積載し格納する給紙トレイから用紙を積載順に給紙する装置の当該用紙のジャムにより生じる上述の問題を解消することである。即ち、給紙されるインデックス用紙にジャムが起きたときに、ジャムの解除により生じる給紙順の狂いの調整を、できるだけ不要なインデックス用紙の排紙や排除をせず行うことである。
【課題を解決するための手段】
【００１４】
本発明は、順序がそれぞれ定められた所定枚数からなる一揃いのインデックス用紙を複数組積載した給紙トレイから、積載順に給紙されるインデックス用紙にジャムが起きたとき、前記ジャムにより狂う給紙順序を正常な順序に調整するインデックス用紙の搬送制御を行う給紙装置であって、前記給紙トレイへのインデックス用紙の格納、取出の際に生じる給紙トレイの状態変化を検知する状態変化検知手段と、前記ジャム発生時にインデックス用紙の給紙が停止している間に、前記状態変化検知手段による前記給紙トレイの状態変化の検知がされないことを条件に、給紙順序を正常な順序に調整するために不要となるインデックス用紙の強制排紙を行う一方、前記状態変化検知手段による前記給紙トレイの状態変化の検知がされることを条件に、前記不要となるインデックス用紙の強制排紙を行わないようにする用紙搬送制御手段とを有する給紙装置である。
本発明は、順序がそれぞれ定められた所定枚数からなる一揃いのインデックス用紙を複数組積載した給紙トレイから、積載順に給紙されるインデックス用紙にジャムが起きたとき、前記ジャムにより狂う給紙順序を正常な順序に調整するインデックス用紙の搬送制御を行う給紙装置であって、前記給紙トレイとは別に、ジャム発生時の補給用インデックス用紙が積載可能な補給用給紙トレイを用意し、当該補給用給紙トレイからの給紙を行う手段と、前記給紙トレイから給紙されるインデックス用紙に起きたジャムをジャムの解除条件を付加して報知し、当該ジャムの報知を行った後に前記補給用給紙トレイからの給紙の実行を指示する操作入力を受付けるユーザーインターフェースと、前記ユーザーインターフェースを通して、給紙の実行指示を受付けたことを条件に、前記補給用給紙トレイからの給紙を行う手段に切り替えて、前記給紙トレイから給紙され前記ジャムが起きたインデックス用紙に代えて前記補給用給紙トレイから補給されるインデックス用紙を給紙することで前記ジャムにより狂う給紙順序を正常な順序に調整するインデックス用紙の搬送制御手段とを有する給紙装置である。
【発明の効果】
【００１５】
本発明によると、順序がそれぞれ定められた所定枚数からなる一揃いのインデックス用紙を複数組積載し格納する給紙トレイから積載順に給紙されるインデックス用紙にジャムが起きたときに、ジャムの解除により生じる給紙順の狂いの調整を従来技術に比べより少ない不要紙の排除により済ませることができる。
【図面の簡単な説明】
【００１６】
【図１】本発明の実施形態に係る画像形成装置における制御系のシステム構成を示す図である。
【図２】本発明の実施形態に係る画像形成装置におけるインデックス用紙のジャムリカバリを説明する図である。
【図３】本発明の実施形態に係る画像形成装置が行うインデックス用紙のジャムリカバリの処理手順を示すフロー図である。
【図４】本発明の実施形態に係る画像形成装置におけるインデックス用紙のジャムリカバリを説明する図である。
【図５】本発明の実施形態に係る画像形成装置における制御系のシステム構成を示す図である。
【図６】本発明の実施形態に係る画像形成装置が行うインデックス用紙のジャムリカバリを伴う印刷処理手順を示すフロー図である。
【図７】従来技術におけるインデックス用紙のジャムリカバリを説明する図である。
【発明を実施するための形態】
【００１７】
本発明の実施形態を添付図面を参照して説明する。
以下の実施形態は、本発明の給紙装置を、画像形成装置におけるインデックス用紙の給紙装置に実施した形態を示す。なお、本実施形態に係る画像形成装置は、プリンタエンジンで枚葉紙状の紙媒体（以下、「用紙」という）にプリント出力を行うプリンタ、複写機、ファクシミリ装置、複合機等の装置であれば、どのような画像形成方式の装置でもよい。
【００１８】
本実施形態に係る画像形成装置は、プリント出力された用紙（以下、「印刷物」ともいう）に対してインデックス用紙を重ね合わせる処理を行うための手段を備える。
ここで使用するインデックス用紙は、順序もしくは順番を示す要素をそれぞれ付与した用紙、例えば表と裏の一対の表紙や、文書の１章，２章，３章・・のように、文書の区切りを順番に表す所定枚数のタブ（前記図７、参照）を持つ区切り用紙等である。
上記でインデックス用紙として例示した、一対の表紙や区切用のインデックス用紙は、印刷物に対して、所定の関係で用いられる。即ち、一対の表紙は印刷物の表、裏に重ね合わされ、また区切り用紙は、定められた順番で印刷物に挿入され重ね合わされる。
プリント出力後の印刷物への上記インデックス用紙の重ね合わせは、インデックス用紙を格納する給紙トレイから積載順に給紙されるインデックス用紙が、それぞれの用い方に従って印刷物と重ね合わされる。
また、複数部の印刷要求に適応するため、インデックス用紙を格納する給紙トレイには、上記のようにそれぞれ順序が定められた所定枚数で一揃い（以下「１セット」という）のインデックス用紙が複数組（セット）重ねて積載し、格納され、積載順に給紙される。
【００１９】
なお、プリント出力済の用紙とインデックス用紙を重ね合わせる処理そのものは、当該画像形成装置の分野における既存の手法（例えば、特許文献１、参照）を採用することにより、実施することができる。
また、本実施形態では、画像形成装置においてプリント出力済の用紙と重ね合わせる処理に適用するインデックス用紙の給紙装置を示す。ただ、順序がそれぞれ定められた所定枚数で一揃いのインデックス用紙を複数セット積み重ねて格納した給紙トレイから積載順に用紙を給紙することが求められる処理であれば、画像形成装置の当該処理に限らず、どの様な処理にも適用することができる。
【００２０】
本発明の目的は、上述のように、一揃いのインデックス用紙を複数組格納する給紙トレイから給紙する用紙に起きるジャムの解除により生じる給紙順の狂いの調整をできるだけ不要なインデックス用紙の排紙や排除を無くすように行うことである。
これは、自動排紙（図７Ａ、参照）又は自動排紙と手動の不要紙排除を二重に行う（図７Ｂ、参照）従来技術のいずれも、使用中の給紙トレイからの不要なインデックス用紙の排除や排紙により給紙順の狂いの調整を行うことを基本にしているからである。つまり、この従来技術は、排除や排紙をする用紙を再使用するための処置を必要とする、という負の要素を伴うので、この負の要素をできるだけ無くすように対処するための手段を講じることが本発明の解決課題である。
【００２１】
不要なインデックス用紙の排紙や排除という、上記負の要素をできるだけ無くすようにするため、本実施形態では、二つの対処法による。
一つは、自動排紙と手動の不要紙排除を二重に行うときへの対処法であり、もう一つは、自動排紙だけを行うときへの対処法である。
下記「実施形態１」は、自動排紙と手動の不要紙排除を二重に行うときに生じ得る上記負の要素への対処法に係る実施形態である。
また、下記「実施形態２」は、自動排紙を単独で行うときに生じ得る上記負の要素への対処法に係る実施形態である。
【００２２】
「実施形態１」
本実施形態は、インデックス用紙のジャムリカバリ処理において、ジャムが生じたインデックス用紙の除去による給紙順の狂いの調整を行う自動排紙機能を持つことを前提に、自動排紙と手動の不要紙排除を二重に行うことを回避することを可能にする。
このため、手動の不要紙排除が行われるときにインデックス用紙を積載する給紙トレイに生じる状態変化を検知し、状態変化が検知される場合、自動排紙を行わないようにし、用紙の排紙、排除が二重に行われることを避ける。この動作により、できるだけインデックス用紙の排紙や排除を行わないようにする。
【００２３】
本画像形成装置は、上記の動作を行うために、状態変化検知手段と用紙搬送制御手段を有する。
状態変化検知手段は、給紙トレイへのインデックス用紙の格納、取出の際に生じる給紙トレイの状態変化を検知する。
また、用紙搬送制御手段は、上記状態変化検知手段による給紙トレイの状態変化の検知がされないことを条件に、給紙順序を正常な順序に調整するために不要となる用紙の強制排紙を行う。この一方、給紙トレイの状態変化の検知がされることを条件に、前記強制排紙を行わないようにする。
なお、この状態変化検知手段と用紙搬送制御手段については、添付図を参照して、以下に詳細に説明する。
【００２４】
本実施形態の画像形成装置の特徴部分である、インデックス用紙のジャムリカバリ処理について、添付図を参照して説明する。
図１は、本実施形態に係る画像形成装置における制御系のシステム構成を示す図である。なお、同図に示す制御系は、本画像形成装置の特徴部分であるインデックス用紙のジャムリカバリ処理に関連するシステム構成を主に示すものである。
図１に示すように、画像形成装置１００は、用紙に画像のプリント出力をするプリンタエンジン１０１と、インターフェース１０２を通じてプリンタエンジン１０１を制御するコントローラ１０３と、コントローラ１０３と情報やデータの交換をしてユーザーインターフェースとして機能する操作パネル１３０を有する。
【００２５】
プリンタエンジン１０１は、コントローラ１０３からの印刷指示に応じたプリント出力を行うために必要な制御機能を持つ。この制御機能は、プリント出力の制御動作の一環として、用紙の給紙及び排紙を行う用紙搬送系等との間で制御指令データや当該系の動作状態等を示す情報を交換する。
具体的には、プリンタエンジン１０１は、接続される複数の給紙トレイ１０４に対し、印刷指示に従う給紙、搬送動作や異常停止等の制御指令を発し、各給紙トレイ１０４からはそれぞれで検知される用紙の給紙動作等に係る情報を受取る。また、プリンタエンジン１０１は、ジョブ用排紙トレイ１０６及び不要インデックス用紙用排紙トレイ１０５を排紙先として行う搬送、排紙動作の制御指令を発し、各排紙トレイにおいて検知される用紙の排紙動作等に係る情報を受取る。
【００２６】
本画像形成装置１００においては、複数の給紙トレイ１０４にプリント出力に用いる用紙を格納するほか、その一部にインデックス用紙を複数組積載して格納し、これらの給紙トレイから給紙されるプリント出力された用紙とインデックス用紙とが重ね合わされる。この重ね合わせ処理は、表紙や区切り用紙等の用紙の種類に応じて行なう。
また、本画像形成装置１００では、この重ね合わせ処理の際、インデックス用紙を給紙する給紙トレイで起きる用紙ジャムに対するジャムリカバリ処理を行う。このジャムリカバリ処理は、後に詳しく述べるが、正常に処理され、排紙される用紙とは別に、ジャムリカバリ処理により不要となるインデックス用紙を排紙する。
このため、排紙トレイは、上記のように、受付けた印刷ジョブが正常に処理され、処理された用紙の排紙に使うジョブ用排紙トレイ１０６と、ジャムリカバリ処理時に不要なインデックス用紙の排紙に使う不要インデックス用紙用排紙トレイ１０５を別に設ける。
【００２７】
コントローラ１０３は、自動調整要否判定手段１０８と、インデックス用紙自動調整手段１０９と、給紙トレイオープン検知手段１１０と、インデックス用紙使用時のジャム検出手段１１１と、排紙トレイ情報記憶手段１０７と、給紙トレイ情報記憶手段１１２を、ジャムリカバリ処理を行うための構成要素として有する。
なお、本実施形態では画像形成装置１００全体を制御するコントローラ１０３が上記構成要素を有し、ジャムリカバリ処理に係る動作を制御する上記用紙搬送制御手段等の制御手段として機能する。ただ、このジャムリカバリ処理に係る動作の制御手段は、画像形成装置１００のコントローラ１０３に限らず、例えば、給紙装置が有する制御手段の構成要素として実施してもよいし、またジャムリカバリ処理に係る動作だけを行う制御手段として構成してもよい。
【００２８】
コントローラ１０３は、制御下にあるプリンタエンジン１０１の装置状態を監視し、装置状態を表す情報を管理する。
本実施形態では、インデックス用紙の給紙に係る装置状態を監視対象として、ジャムリカバリ処理に対処する。具体的には、コントローラ１０３は、インターフェース１０２を通じて、給紙トレイ１０４に係る情報を給紙トレイ情報として取得し、この情報を給紙トレイ情報記憶手段１１２に格納する。
給紙トレイ情報は、給紙トレイ１〜Ｎ各々における用紙の格納の有無と、格納された用紙の用紙属性を表す情報である。また、給紙トレイ情報には、後述する「ジャム時給紙トレイオープン情報」が含まれる。
上記用紙属性は、プリント出力に用いる用紙については、サイズや材質等の紙種である。
他方、インデックス用紙の属性を表す情報は、図１の給紙トレイ情報記憶手段１１２内の「インデックス用紙格納有無」、「１セットのインデックス用紙枚数」、「先頭インデックス用紙番号」等の情報である。
なお、「インデックス用紙格納有無」は、格納された用紙がインデックス用紙であるか否かを示す。「１セットのインデックス用紙枚数」は、インデックス用紙の１セットの用紙枚数であり、後記図２の例ではタブ位置を順番に変えた５枚のタブ付きインデックス用紙が１セットとなる。また、「先頭インデックス用紙番号」は、先頭にあるインデックス用紙の順序が１セットの何番目かを示す番号である。
【００２９】
また、インデックス用紙のジャムリカバリ処理に対処するために排紙側でもインデックス用紙の排紙に係る装置状態を監視対象とする。具体的には、コントローラ１０３は、インターフェース１０２を通じて、ジョブ用排紙トレイ１０６及び不要インデックス用紙用排紙トレイ１０５に係る情報を排紙トレイ情報として取得し、この情報を排紙トレイ情報記憶手段１０７に格納する。
排紙トレイ情報は、各排紙トレイの排紙の進行を表す情報としての意味を持つ、排紙された用紙番号や枚数の情報である。本実施形態では、特にインデックス用紙に起きるジャムのリカバリ処理において、インデックス用紙の給紙順が調整される。このため、排紙トレイ情報として、何番目の用紙番号のインデックス用紙までの出力が正常に行われ、ジョブ用排紙トレイ１０６への排紙が完了したかを表す、「排紙完了インデックス用紙番号」を取得し、排紙トレイ情報記憶手段１０７に格納する。
【００３０】
上記した給紙トレイ情報は、コントローラ１０３が情報を利用するときに、最新の情報を取得できるように管理しておくことが必要であり、常時各給紙トレイにおける用紙の格納状態をチェックし変更が生じた場合に、直ちに情報を更新する。
給紙トレイ情報のうち、各給紙トレイ１０４におけるインデックス用紙の格納の有無とインデックス用紙の１セットの用紙枚数は、給紙トレイ１０４に用紙を格納するときに変更が必要な情報である。この情報は、給紙トレイ１０４への格納時にセンサ等によりインデックス用紙の有無や用紙の種類を検知するか、或は操作入力手段を設けた操作パネル１３０を通して入力する方法によって新たに得た情報によって、給紙トレイ情報記憶手段１１２の情報を更新する。なお、上記用紙の種類を検知する手法の採用は、用紙の種類の識別子が検知可能であることや用紙の種類と１セットの用紙枚数が所定の対応関係にあることが前提となる。また、操作パネル１３０は、ユーザーインターフェースとして、ユーザーと本画像形成装置１００との間で情報を交換するために装備されたもので、ユーザーにジャム等の情報を報知する表示手段と、ユーザーが情報を伝える入力手段としてのキー等の操作部を持つ。この操作パネル１３０を介して、ジョブや装置に設定する動作条件等を指示する操作入力を行い、又装置の動作状態等を知ることができる。
【００３１】
他方、格納されたインデックス用紙の先頭インデックス用紙番号は、給紙動作により変更が生じる情報である。従って、常に給紙動作を検知する手段を備えて給紙動作の進行を監視することで現状を把握する。即ち、この検知手段によって給紙動作が検知される度に、１セットのインデックス用紙の初期状態における１番目から順に用紙番号を１番繰り上げることで、先頭インデックス用紙番号が得られる。この手法により新たに得た情報によって、給紙トレイ情報記憶手段１１２の先頭インデックス用紙番号の情報を更新する。
なお、上記の給紙動作を検知する手段は、例えば、給紙トレイ１０４の出口において、搬送されるインデックス用紙の通過を検知するセンサを設けることにより実施することができる。
【００３２】
また、上記した排紙トレイ情報も、コントローラ１０３が情報を利用するときに、最新の情報を取得できるように管理しておくことが必要であり、常時各排紙トレイにおける用紙の排紙状態をチェックし変更が生じた場合に、直ちに情報を更新する。
排紙トレイ情報のうち、何番目の用紙番号のインデックス用紙までの出力が正常に行われジョブ用排紙トレイ１０６に排紙されたかを示す排紙完了インデックス用紙番号は、ジョブ用排紙トレイ１０６に用紙が排紙されるときに変更が必要な情報である。
【００３３】
この排紙完了インデックス用紙番号は、ジョブ用排紙トレイ１０６へ排紙されるインデックス用紙の通過をセンサ等により検知する方法によって新たに得た情報によって、排紙トレイ情報記憶手段１０７の情報を更新する。即ち、排紙されるインデックス用紙の通過を検知するセンサによって排紙が検知される度に、１セットのインデックス用紙の初期状態における１番目から順に用紙番号を１番繰り上げることで、現在排紙が検知されたインデックス用紙が何番目の用紙番号であるかが得られる。この手法により新たに得た情報によって、排紙トレイ情報記憶手段１０７の「排紙完了インデックス用紙番号」の情報を更新する。
【００３４】
インデックス用紙の重ね合わせ処理を付加する印刷指示に従いプリンタエンジン１０１がプリント出力を行っている時に給紙するインデックス用紙にジャムが起きると、コントローラ１０３はインデックス紙使用時のジャム検出手段１１１によってこのジャムを検知する。なお、インデックス紙使用時のジャム検出手段１１１は、当該画像形成装置の分野において、給紙する用紙の搬送過程で起きる用紙ジャムの検出に用いている既存の手段を適用することにより実施することができる。なお、本実施形態で用いるジャム検出手段は、ジャムを起こしたインデックス用紙の除去により、ジャム状態、即ちプリンタエンジン１０１の動作を停止させた状態、が解除できる機能を持つものを採用する。
【００３５】
また、インデックス用紙のジャムリカバリ処理に関連する手段として、コントローラ１０３は、給紙トレイ１０４においてインデックス用紙の格納、取出しを行う際に生じる給紙トレイの状態変化を検知する状態変化検知手段を有する。
なお、上記インデックス用紙の給紙トレイ１０４への格納、取出しは、ここでは、既存の画像形成装置におけると同様にユーザーが行う用紙格納部のオープン動作を想定している。
よって、上記状態変化検知手段は、給紙トレイ１０４においてインデックス用紙の格納、取出しを行う際、給紙トレイ１０４における用紙格納部がオープンされるときの状態変化を検知する給紙トレイオープン検知手段１１０として実施し得る。例えば、用紙の交換や補給を行うために用紙格納部が引き出されたときの状態変化を検知する手段が、この用紙給紙トレイオープン検知手段１１０として採用することができる。
【００３６】
また、ジャム発生時にインデックス用紙の給紙トレイ１０４の給紙トレイオープン検知手段１１０が検知した当該オープン動作の検知結果は、「ジャム時給紙トレイオープン情報」として、コントローラ１０３がジャムリカバリ処理において利用するときに、その情報が取得できるようにすることが必要である。このため、ジャムが起きてから常時当該給紙トレイにおける用紙格納部がオープンされたか否かをセンサ等の検知手段により確認し、オープンが検知された場合に、直ちに給紙トレイ情報記憶手段１１２にこの「ジャム時給紙トレイオープン情報」を格納する。
なお、「ジャム時給紙トレイオープン情報」をインデックス用紙のジャムリカバリ処理においてどのように用いるかは、後記で詳述する。
【００３７】
また、コントローラ１０３は、インデックス用紙のジャムリカバリ処理を行うための手段として、自動調整要否判定手段１０８及びインデックス用紙自動調整手段１０９を有する。
自動調整要否判定手段１０８は、インデックス用紙にジャムが起きると、狂いが生じるインデックス用紙の給紙順を自動調整するか否かを判定する手段である。
インデックス用紙自動調整手段１０９は、インデックス用紙のジャムにより生じた当該用紙の給紙順の狂いを自動調整する手段である。
なお、自動調整要否判定手段１０８及びインデックス用紙自動調整手段１０９が、インデックス用紙のジャムリカバリ処理においてどのように機能するかは、下記ジャムリカバリ処理過程の説明でさらに詳細に述べる。
【００３８】
ところで、上記画像形成装置１００におけるコントローラ１０３は、コンピュータにより構成することができる。当該コンピュータは、ソフトウェアプログラムの命令を実行するためのＣＰＵ（Central Processing Unit）と、ＲＯＭ（Read Only Memory）、ＲＡＭ（Random Access Memory）、ＮＶＲＡＭ（Non Volatile RAM）の各記憶手段をハードウェアの要素として構成する。上記ＲＯＭは、コントローラ１０３の動作や処理を実現するために前記ＣＰＵによって使用されるプログラムやデータ等を保存するメモリである。また、上記ＲＡＭは、前記プログラムによって生成されるデータなどを一時的に保存するメモリ、或いはソフトウェアプログラムの動作に必要なデータを保存するワークメモリとして利用するメモリである。また、上記ＮＶＲＡＭは、コントローラ１０３を管理する管理情報などを保存しておく不揮発性メモリである。
コントローラ１０３をコンピュータで構成する場合、後述するインデックス用紙のジャムリカバリ処理に係る制御等を含むプリント出力動作を実行するためのプログラムや制御用データを各種の記録媒体を介して当該コンピュータにインストールする。ＣＰＵは、インストールした当該プログラムを駆動し、またインストールした制御用データを利用することで所期の制御動作を実行できる。
【００３９】
次に、本画像形成装置１００のコントローラ１０３が行う、インデックス用紙のジャムリカバリ処理過程を詳細に説明する。
本画像形成装置１００は、先に述べたように、プリント出力された用紙との重ね合わせ処理に用いるインデックス用紙に、文書の区切りを順番に表すタブ付きのインデックス用紙を用いる。
上記タブ付きのインデックス用紙は、タブ位置を順番にずらしたインデックス用紙を順番に従って重ねた所定枚数の用紙を１セットとし、複数セットが給紙トレイ１０４に積載され、プリント出力された用紙と重ね合わせるために積載順に給紙される。
【００４０】
給紙トレイ１０４から給紙されるインデックス用紙にジャムが起きると、コントローラ１０３は、プリンタエンジン１０１の動作を停止させ、リカバリ処理を開始する。先ず、起きたジャムに対しては、ジャムを起こした用紙の除去を指示する。ジャムを起こした用紙が除去されると、ジャムが解除されたことを認識し、停止状態のプリンタエンジン１０１をプリント出力が再開できる状態へと移行させる。
ただ、順番を定めたタブ付きのインデックス用紙を用いた重ね合わせ処理を行っている場合、除去したインデックス用紙は使用できず、当該用紙の順番が欠番となるので、給紙順に狂いが生じてしまう。
そこで、インデックス用紙のジャムリカバリ処理においては、ジャムを起こした用紙を除去したために生じる給紙順の狂いを自動調整する処理を行い、調整後にプリント出力を再開させる。
この給紙順の自動調整は、用紙搬送制御手段がジャムの起きたインデックス用紙に後続する不要な用紙を強制排紙する用紙搬送制御を行うことで、ジャム解除後に給紙する先頭にジャムの起きたインデックス用紙を用意する給紙順の調整を行う。
【００４１】
ところで、この自動調整は、インデックス用紙のジャム発生時にユーザーはジャムを起こしたインデックス用紙を除去する作業を行うだけで済むという利便性を提供する当該ジャムのリカバリ処理手法として従来から知られている。
ただ、インデックス用紙を用いた出力要求をするユーザーが、ジャムを起こしたインデックス用紙を除去する作業を行う際、機転を利かせて、次の操作を行う場合がある。
即ち、このユーザーは、ジャムを解除するために行うインデックス用紙の除去により給紙順に狂いが生じることが分かると、狂った給紙順を自分の手で調整してしまうことがある。つまり、給紙トレイ内の不要となるインデックス用紙を人手で排除して、給紙順の狂いを手動調整してしまう、という事態が起こり得る。
ユーザーが上記手動調整を行った場合、従来の画像形成装置の制御システムは、当該手動調整を行ったことが認識できずに、ジャムリカバリ処理として、所定の手順通りにインデックス用紙の給紙順の自動調整を行う。このように手動と自動で二重に調整が行われると、上記［背景技術］において、図７Ｂを参照して述べたように、ユーザーの意に反し、調整が不調になる結果を招いてしまう。
【００４２】
そこで、本画像形成装置１００は、ユーザーの機転でインデックス用紙の給紙順が手動調整された場合にも、調整が不調になる不都合を回避して、手動調整が無効にならないようにする。
このために、本画像形成装置１００では、コントローラ１０３がインデックス用紙に起きたジャムを解除するまでの間に、狂った給紙順の手動調整が行われたことを装置における状態の変化を検知することで捉える。
また、給紙順の手動調整が行われたことが、給紙トレイ１０４の状態変化によって捉えられた場合には、自動調整を行わないようにする。即ち、ジャムの起きたインデックス用紙に後続する不要な用紙を強制排紙する用紙搬送制御を行わないようにする。このようにするとで、従来技術において行われた二重調整を回避し、手動調整を無駄にせずにすますことができる。
【００４３】
給紙順の手動調整が行われたことを検知する給紙トレイ１０４の状態変化は、給紙トレイ１０４に格納した用紙を取出すために、ユーザーが用紙格納部へアクセスするときに給紙トレイ１０４が受ける状態変化に着目し、その状態変化を検知対象にする。
ユーザーが用紙格納部へアクセスするためには、給紙動作中に装置内の所定位置に納まっている給紙トレイ１０４の用紙格納部をオープンにする必要があり、例えば、この状態変化が着目する点である。よって、本実施形態では、例えば、用紙格納部を装置内部から引出し、オープン状態にする変化が、給紙順の手動調整において行う用紙を取出すための操作によるものとみなし、この状態変化を検知する手法による。
【００４４】
この手法による検知手段が、先に記載した給紙トレイオープン検知手段１１０（図１）である。
ただし、給紙トレイ１０４の格納部のオープン操作が、当該手動調整を目的に行われたことを適正に検知するためには、次の条件を考慮する必要がある。一つは、給紙トレイオープン検知手段１１０がジャムの発生からジャムの解除までの間に行われるオープン操作を検知すること。もう一つは、給紙トレイオープン検知手段１１０と、ジャムを解除する操作の検知手段とは、別の手段でなければならない。
【００４５】
図２は、本画像形成装置１００におけるインデックス用紙のジャムリカバリを説明する図である。
図２における図２Ａ、図２Ｂいずれも、給紙トレイ１０４に積載し格納され、積載順に１枚ずつ給紙されるインデックス用紙を展開して示し、インデックス用紙がどのような操作や動作を受けたかを各用紙に対応付けて説明している。同図に例示するインデックス用紙は、タブ位置を順番にずらしたタブ１〜５付きインデックス用紙を、この順番で組合せた１セットのインデックス用紙が、複数セット重ねて給紙トレイ１０４に積載される。よって、各タブ付きインデックス用紙は、タブ１→２→３→４→５→１→２→３→４→５→…という順序を繰り返して給紙トレイ１０４から給紙される。
【００４６】
先ず、従来の問題点として指摘した、手動と自動の二重調整を回避する本実施形態のジャムリカバリ処理、即ちユーザーにより手動調整が行われる場合の処理における動作を説明する。
図２Ａは、手動調整を行なった場合に相当する動作状態を説明する図である。
同図の動作状態は、給紙トレイオープン検知手段１１０の検知結果によって、手動調整が行われたとみなされた場合には、自動調整を抑止する動作を示す。
図２Ａにおいて、１セット目のタブ１付きインデックス用紙とタブ２付きインデックス用紙は正常に給紙され、排紙により処理が完了する。この状態は、それぞれ図２Ａ中に「ジョブ排紙１」、「ジョブ排紙２」として示している。
この排紙の後、タブ３付きのインデックス用紙にジャムが発生する。
ジャムの発生後、コントローラ１０３は、ジャムの原因となったタブ３付きインデックス用紙が除去されるまで、プリンタエンジン１０１の出力動作を停止して待機する。この待機時の間、給紙トレイ１０４からのインデックス用紙の給紙も停止している。ユーザーにより手動調整が行われる場合は、このインデックス用紙の給紙が停止している間である。
そこで、コントローラ１０３は、この間に給紙トレイオープン検知手段１１０を起動し、インデックス用紙の給紙トレイ１０４における格納部のオープン操作が行われた否かを検知し、その検知結果を「ジャム時給紙トレイオープン情報」として給紙トレイ情報記憶手段１１２に保存する。
【００４７】
図２Ａの動作例は、ユーザーによりジャムを起こしたタブ３付きインデックス用紙が除去されるが、この除去操作を経て印刷が再開されるまでの間に、ユーザーにより手動調整が行われた場合である。
ユーザーによる手動調整は、ジャムを起こしたために除去したタブ３付きインデックス用紙に後続する給紙順のタブ４→５→１→２付きインデックス用紙を不要用紙として給紙トレイ１０４の格納部から排除することで、狂った給紙順を整える。
この手動調整を行うとき、ユーザーによりインデックス用紙の給紙トレイ１０４における格納部のオープン操作が行われる。従って、これを検知する給紙トレイオープン検知手段１１０の検知結果が「ジャム時給紙トレイオープン情報」にオープン操作が行われたことを示す情報として保存される。
コントローラ１０３は、ユーザーによる上記ジャムを起こしたインデックス用紙の除去操作に必要な時間を見込んで、プリンタエンジン１０１を覆うカバー等が閉められた状態をチェックすることにより当該操作の終了を判断した上で、ジャムを起こしたインデックス用紙の除去の確認をする。この手順を経て、コントローラ１０３は、ジャムが解除されたことを認識する。
【００４８】
ユーザーによる上記の手動調整によって、ジャムを起こして除去されたタブ３の用紙が先頭になるように調整されるので、装置による自動調整は不要となる。
本画像形成装置１００は、ジャムが解除されたときに、給紙トレイ情報記憶手段１１２に保存された「ジャム時給紙トレイオープン情報」により、自動調整が不要となる装置状態を認識する。
つまり、コントローラ１０３の自動調整要否判定手段１０８は、「ジャム時給紙トレイオープン情報」を読出して、給紙トレイ１０４においてオープン操作が検知されていれば、手動調整が行われているとみなし、自動調整が不要であると判定する。逆に、給紙トレイ１０４においてオープン操作が検知されていなければ、手動調整が行われていないとみなし、自動調整が必要であると判定する。
【００４９】
コントローラ１０３は、上記の判定結果に従い、手動調整が行われたとみなされた場合には、自動調整を行わずに直ちにリカバリ処理を完了し、その後、インデックス用紙を用いる一連の印刷を再開する。
図２Ａは、この動作状態を示すもので、手動で不要インデックス用紙を排除することで、ジャムを起こしたタブ３付きインデックス用紙を先頭にする順番の調整が行われているので、自動調整の要否を判定した後、自動調整を行わずに直ぐ印刷を再開している。
従って、従来技術のように、手動調整が行われたことが認識できずに、手動と自動で二重に調整を行い、不調を招く（図７Ｂ、参照）ことはない。
【００５０】
なお、上記では、コントローラ１０３は、手動調整が行われたとみなされた場合には、自動調整をせず、直ちにリカバリ処理を完了し、インデックス用紙を用いる一連の印刷を再開する動作を行うとした。
ただ、給紙トレイ１０４における格納部のオープン操作が行われても、ユーザーが給紙順の調整を行わない場合が起きる可能性があることは否定できない。
このような場合、調整が未了なままになる。このような状況に対処する方法として、最終的にはユーザーによって、自動調整を行うか否かを選択可能にする実施形態を採ることができる。つまり、給紙トレイ１０４における格納部のオープン操作が検知されても、ユーザーの選択によって自動調整を行えるようにする形態で本発明を実施してもよい。
【００５１】
具体的には、画像形成装置１００は、給紙トレイ１０４における格納部のオープン操作が検知され、自動調整が不要と判定されたとき、例えば操作手段としての操作パネル１３０を通じ、自動調整を実行するか否かをユーザーが選択する手段を備えるようにする。
例えば、操作パネル１３０の表示手段に、「ジャムのリカバリには給紙順の調整が必要です。調整が済んでいなければ、自動調整を実施します。」といったメッセージとともに自動調整を実行するか、否かを指示する操作入力を案内する。
コントローラ１０３は、ユーザーが行う選択が自動調整の実行であった場合には、この選択に従って自動調整を行う。
【００５２】
上記のように、「ジャム時給紙トレイオープン情報」を基に、ジャムで狂ったインデックス用紙の給紙順を手動調整する可能性が認識できる場合、ユーザーによる自動調整の要否の選択手順を経て自動調整を行うことで、手動調整の不実施に対処することが可能になる。
このため、従来技術において手動と自動の二重調整によって生じた調整が不調になる不都合を回避でき、実行した手動調整が無効にもならない。
従って、インデックス用紙の給紙装置が持つ、用紙のジャムにより狂う給紙順の調整機能をさらに適正に利用することができる。
【００５３】
次に、手動と自動の二重調整が回避できるジャムリカバリ処理を行う本実施形態において、ユーザーが手動調整を行わない場合の動作を説明する。
図２Ｂは、手動調整を行わず、自動調整を行なった場合に相当する動作状態を説明する図である。
図２Ｂにおいて、１セット目のタブ１付きインデックス用紙とタブ２付きインデックス用紙は正常に給紙され、排紙により処理が完了する。この状態は、それぞれ図２Ａ中に「ジョブ排紙１」、「ジョブ排紙２」として示している。
この排紙の後、タブ３付きのインデックス用紙にジャムが発生する。
ジャムの発生後、コントローラ１０３は、ジャムの原因となったタブ３付きインデックス用紙が除去されるまで、プリンタエンジン１０１の出力動作を停止して待機する。この待機時の間、給紙トレイ１０４からのインデックス用紙の給紙も停止している。ユーザーにより手動調整が行われる場合は、このインデックス用紙の給紙が停止している間である。
そこで、コントローラ１０３は、この間に給紙トレイオープン検知手段１１０を起動し、インデックス用紙の給紙トレイ１０４における格納部のオープン操作が行われた否かを検知し、その検知結果を「ジャム時給紙トレイオープン情報」として給紙トレイ情報記憶手段１１２に保存する。
【００５４】
図２Ｂの動作例では、ユーザーによりジャムを起こしたタブ３付きインデックス用紙が除去されるが、この除去操作を経て印刷が再開されるまでの間に、ユーザーにより手動調整が行われなかった場合である。
従って、ユーザーにより給紙トレイ１０４における格納部のオープン操作が行われず、これを検知する給紙トレイオープン検知手段１１０の検知結果が「ジャム時給紙トレイオープン情報」にオープン操作が行われたことを示す情報は保存されていない。
コントローラ１０３は、ユーザーによる上記ジャムを起こしたインデックス用紙の除去操作に必要な時間を見込んで、プリンタエンジン１０１を覆うカバー等が閉められた状態をチェックすることにより当該操作の終了を判断した上で、ジャムを起こしたインデックス用紙の除去の確認をする。この手順を経て、コントローラ１０３は、ジャムが解除されたことを認識する。
【００５５】
また、本画像形成装置１００は、ジャムが解除されたときに、給紙トレイ情報記憶手段１１２に保存された「ジャム時給紙トレイオープン情報」を基に、自動調整が必要になる装置状態を認識する。
つまり、コントローラ１０３は、「ジャム時給紙トレイオープン情報」を読出して、インデックス用紙の給紙トレイ１０４においてオープン操作が検知されているか否かを確認する。この場合、インデックス用紙の給紙トレイ１０４においてオープン操作が検知されておらず、ユーザーによる手動調整は行われなかったので、コントローラ１０３の自動調整要否判定手段１０８は自動調整が必要であると判定する。
【００５６】
コントローラ１０３は、ジャム状態の解除後に、上記判定結果に従い、自動調整、即ち適切なタブ位置のインデックス用紙を給紙するために、狂ったインデックス用紙の給紙順を調整する動作を以下の手順で実行する。
先ず、コントローラ１０３は、ジャムを解除した時点で給紙トレイ情報記憶手段１１２、排紙トレイ情報記憶手段１０７にそれぞれ格納された「先頭インデックス用紙番号」と「排紙完了インデックス用紙番号」を取得する。
【００５７】
次いで取得したこれらの情報に基づいて、実際にジャムが生じたことを確認する。つまり、ジャムを起こしたインデックス用紙の除去で欠番が生じるために、取得した「排紙完了インデックス用紙番号」（最も直前に排紙した用紙番号である）と「先頭インデックス用紙番号」の関係が除去したインデックス用紙分だけ不連続になっているはずであるから、この点を確認する。
さらに、取得した「排紙完了インデックス用紙番号」から、自動調整後に給紙トレイ１０４に格納した状態のインデックス用紙において先頭にあるべきインデックス用紙番号を定める。つまり、取得した「排紙完了インデックス用紙番号」の次の用紙番号を、先頭のインデックス用紙の用紙番号と定める。
また、上記で定めたインデックス用紙番号を先頭にするために、取得した「排紙完了インデックス用紙番号」からの調整枚数を求める。
【００５８】
求めた調整枚数は、この枚数の排紙を行うことで狂った給紙順が整う枚数である。よって、用紙搬送制御手段は、得られる調整枚数を対象に給紙トレイ１０４からインデックス用紙を、異常時の排紙動作として不要インデックス用紙用排紙トレイ１０５に強制排紙する用紙搬送を行う。この用紙搬送により不要なインデックス用紙が自動排紙されることで、自動調整がなされる。
図２Ｂにおける自動調整動作では、ジャムの解除をするため、除去が必要なインデックス用紙はタブ３付きインデックス用紙の１枚であるから、このインデックス用紙が除去の対象となる。
また、既に出力の完了しているうち最も直前に排紙したインデックス用紙はタブ２付きインデックス用紙であるから、除去したタブ３付きインデックス用紙に後続する給紙順のタブ４→５→１→２付きインデックス用紙は使用できない。このため、これらを不要インデックス用紙として自動排紙する用紙搬送を行う。即ち、用紙搬送制御手段は、後続する給紙順のタブ４→５→１→２付きインデックス用紙を不要インデックス用紙用排紙トレイ１０５へ強制排紙をする。こうした動作により、給紙順の先頭にタブ３付きインデックス用紙を用意することができる。
コントローラ１０３は、このように給紙順を自動調整することで、リカバリ処理を完了し、その後、インデックス用紙を用いる一連の印刷を再開する。
【００５９】
このように、ジャム発生により狂いが生じるインデックス用紙の給紙順を自動調整することにより、ユーザーは、ジャムを解除するため、ジャムの原因となったインデックス用紙を除去する作業を行うだけで済む。
よって、従来の自動調整機能におけると同様に、インデックス用紙の当該ジャム発生時における使い勝手を向上させることができる。
【００６０】
次に、コントローラ１０３が行う、インデックス用紙のジャムリカバリ処理の手順について説明する。
以下に説明する処理は、プリント出力された用紙に対してインデックス用紙を重ね合わせる処理を行う印刷指示に従いプリンタエンジン１０１が動作しているときに、給紙トレイ１０４から給紙されるインデックス用紙に起きるジャムに対処するジャムリカバリ処理である。
ここでは、ジャム発生から、ジャムを起こしたインデックス用紙を除去し、インデックス用紙の除去により給紙順に生じる狂いを調整する処理を行った後、印刷を再開するまでの一連のジャムリカバリ処理手順をフロー図に基づいて説明する。
【００６１】
図３は、本実施形態に係るインデックス用紙のジャムリカバリの処理手順を示すフロー図である。
図３の処理フローは、給紙トレイ１０４から給紙されるインデックス用紙におけるジャムの発生を受けて、コントローラ１０３が起動する（ステップＳ１０１）。
コントローラ１０３は、ジャムリカバリの処理フローを起動すると、先ず、インデックス用紙を格納した給紙トレイ１０４における格納部のオープン操作が行われたか否かを検知する給紙トレイオープン検知手段１１０の検知結果のチェックをする（ステップＳ１０２）。この検知結果は、後段の自動調整の要否判定に用いる情報であり、ここでは、オープン操作が行われたことが検知された時だけ、この検知結果を記憶する処理を行うため、このチェックをする。
【００６２】
よって、ステップＳ１０２で給紙トレイオープン検知手段１１０がオープン操作を検知した場合（ステップＳ１０２-YES）、この検知結果を「ジャム時給紙トレイオープン情報」として給紙トレイ情報記憶手段１１２に記憶する（ステップＳ１０３）。なお、ステップＳ１０２で給紙トレイオープン検知手段１１０がオープン操作を検知しない場合（ステップＳ１０２-NO）、何の処理もせず、次のステップＳ１０４に移行する。
また、ステップＳ１０２のオープン操作の検知結果のチェックは、ジャムを起こしたインデックス用紙をユーザーが除去するのに必要な時間として見込まれた所定時間、少なくとも継続される。
コントローラ１０３は、上記所定時間を経た後、ジャムを起こしたインデックス用紙の除去操作の終了を判断し、当該インデックス用紙の除去の確認をすることで、ジャムが解除されたことを認識する（ステップＳ１０４）。なお、ジャムを起こしたインデックス用紙の除去操作の終了は、例えば、除去操作が済んでプリンタエンジン１０１を覆うカバー等が閉められた状態をチェックすることにより判断する。
【００６３】
コントローラ１０３は、ステップＳ１０４でジャムの解除を認識すると、直ちに自動調整の要否を判定する手順に移行し、コントローラ１０３の自動調整要否判定手段１０８はインデックス用紙を格納した給紙トレイ１０４における格納部のオープン操作が行われたか否かを確認する（ステップＳ１０５）。なお、このステップの確認は、給紙トレイ情報記憶手段１１２に記憶された「ジャム時給紙トレイオープン情報」を読出し、そこにステップＳ１０３で記憶された情報があるか否かをチェックする手順となる。
ステップＳ１０５でインデックス用紙を格納した給紙トレイ１０４における格納部のオープン操作が行われたことが確認できれば（ステップＳ１０５-YES）、ユーザーが手動調整を行ったとみなし、自動調整が不要であると判定する。この場合、ジャムにより給紙順に生じる狂いは調整済みであり、何もしないでこの処理フローを終了する。
【００６４】
他方、ステップＳ１０５でインデックス用紙を格納した給紙トレイ１０４における格納部のオープン操作が行われたことが確認できなければ（ステップＳ１０５-NO）、ユーザーが手動調整を行ったとみなすことができず、自動調整が必要であると判定する。
従って、この場合、ジャムを起こしたインデックス用紙の除去により給紙順に生じる狂いを自動調整する（ステップＳ１０６）。なお、自動調整の処理は、上記で図２Ｂを参照して説明した処理を行う。
ステップＳ１０６で自動調整によりインデックス用紙の給紙順の狂いを調整し、この処理フローを終了する。
【００６５】
「実施形態２」
上記実施形態１においては、インデックス用紙のジャムリカバリ処理において、ジャムが生じたインデックス用紙の除去による給紙順の狂いの調整手段として、不要インデックス用紙の自動排紙機能を備えることが前提となっている。
しかし、自動排紙機能により給紙順の狂いを調整すると、不要となる“ｎ―１”枚（ｎ：１セットのインデックス用紙の枚数）のインデックス用紙を排紙する、という負の要素が必ず生じる。
よって、この不要インデックス用紙の排紙、という負の要素をできるだけ無くしたい、とする要求に応えるには十分ではない。
【００６６】
そこで、本実施形態では、ジャムが起きて除去されるインデックス用紙を補給する、というより単純な考え方に従う処理によって、上述の不要な用紙として自動排紙機能により排紙する方法を採ることなく、給紙順の狂いを調整することを可能にする。
先ず、上述の考え方に従って行う本実施形態のジャムリカバリの概念を説明する。
【００６７】
図４は、本実施形態に係る画像形成装置におけるインデックス用紙のジャムリカバリを説明する図である。なお、図４に示す例は、上記実施形態１と同様に画像形成装置において、インデックス用紙を使用する印刷ジョブを処理する場合を例に採る。
図４における「図Ａ１、Ｂ１」→「図Ａ２、Ｂ２」→「図Ａ３、Ｂ３」は、矢印の順に進む処理過程において変化する状態を示す図である。
図Ａ１、図Ａ２、図Ａ３いずれも、印刷ジョブが本来用いるインデックス用紙給紙トレイに積載し格納され、積載順に１枚ずつ給紙されるインデックス用紙を展開して示し、インデックス用紙がどのような操作や動作を受けたかを各用紙に対応付けて説明している。同図に例示するインデックス用紙は、タブ位置を順番にずらしたタブ１〜５付きインデックス用紙（以下、「用紙１〜５」という）を、この順番で組合せた１セットのインデックス用紙が、複数セット重ねて給紙トレイに積載される。よって、同図中に給紙順序を表す→にて示すように、各タブ付きインデックス用紙は、用紙１→２→３→４→５→１→２→３→４→５→…という順序を繰り返して給紙トレイから給紙される。
他方、図４の図Ｂ１、図Ｂ２、図Ｂ３いずれも、上記インデックス用紙給紙トレイとは別の給紙トレイ（後記補給用給紙トレイで、ここでは手差し給紙トレイとしている）に積載し格納され、補給に用いるインデックス用紙の格納状態を示している。
【００６８】
タブ付きインデックス用紙を使用する印刷ジョブの処理が開始され、図４Ａ１に示すように、用紙１及び用紙２は正常に給紙され、排紙により処理が完了する。この状態は、それぞれ図４Ａ１中に「ジョブ排紙１」、「ジョブ排紙２」として示している。
この排紙の後、用紙３にジャムが発生し、印刷ジョブの処理を停止する。ジャムが発生した時点では、ジャムの発生をユーザーに知らせるとともに、ジャムを起こした用紙３の除去を指示する。なお、この例では、１枚の用紙を除去する例を示したが、複数枚の用紙を除去する場合もある。
ユーザーへの指示に従いジャムを起こした用紙３が除去されるが、このまま、処理を停止した印刷ジョブの処理を復帰させると、用紙３が欠番となり、給紙順が狂ってしまう。
【００６９】
このため、除去した用紙に代え、新たな用紙３の補給が必要となることをユーザーに知らせ、補給の手続きを案内する。
本実施形態では、一時的に除去した用紙に代わる用紙を補給する動作を行い、インデックス用紙を使用する印刷ジョブの元の処理に復帰させるリカバリ処理による。従って、ユーザーには、補給が必要な用紙を特定し、印刷ジョブに用いている本来の給紙トレイとは別の特定の給紙トレイに補給する用紙を格納することを指示する。
図４Ｂ２は、上述の指示に従って、手差し給紙トレイが補給用給紙トレイとして設定された状態を示している。同図では、図中に説明があるが、ユーザーが指示された用紙３を手差し給紙トレイに格納し、操作パネルから補給に用いる給紙トレイを設定する。
この給紙トレイの設定は、特定の給紙トレイである手差し給紙トレイと格納する用紙の種類を「インデックス用紙」と指定する操作入力を行うことによる。なお、用紙種類の指定は、既に指定されていれば、変更する操作入力を行うことになる。
また、給紙トレイの設定方法は上述の方法に限らず、例えば、空いている任意の給紙トレイに補給する用紙を格納する方法（後記の実施例、参照)によってもよい。
【００７０】
上述のように補給用給紙トレイを設定した後、ジャムを解除する。この時、コントローラは、図４Ｂ３に示すように、印刷ジョブが本来用いるインデックス用紙給紙トレイから新たに設定された補給用の手差し給紙トレイにインデックス用紙の給紙元を自動的に切り替えて、給紙動作を行うようにする。
その際、手差し給紙トレイから給紙するインデックス用紙の枚数は、排紙トレイに排紙された最新のインデックス用紙番号２と現在給紙トレイの先頭にあるインデックス用紙番号４から、インデックス紙番号３の１枚であることが分かる（図４Ａ３、参照）。
手差し給紙トレイから用紙３を給紙し印刷した後、給紙元を元の印刷ジョブが本来用いるインデックス用紙給紙トレイに自動的に戻し、この給紙トレイの先頭からインデックス用紙番号４，５と順番に印刷され、ジャムリカバリを完了する。
以上のリカバリの動作により、排紙トレイからは順番通りに印刷されたインデックス紙１〜５の出力が得られる。
また、本実施形態の上述の動作によると、実施形態１の自動排紙機能によるリカバリで行う排紙をしないので、不要インデックス紙の排紙枚数は０枚となる。
【００７１】
上述の概念に従うリカバリを実行するためには、補給するインデックス用紙を格納する給紙トレイを補給用に用意し、ジャムの解除後に除去されたインデックス用紙をこの補給用給紙トレイから給紙する用紙搬送制御を行う手段を用いる。以下、この手段により実現する機能を「インデックス用紙補給機能」という。
なお、補給用給紙トレイは、セット単位でインデックス用紙を積載し格納する印刷ジョブ用の給紙トレイとは別に、補給するインデックス用紙のみを給紙するために、例えば手差し給紙トレイとして用意する。この補給用給紙トレイは、ジャムで除去される用紙に代えて給紙を行うためにだけ、本来の印刷ジョブ用の給紙トレイから切り替えて一時的に用いられ、補給後に印刷ジョブ用の給紙トレイに切り替えられる。
【００７２】
本画像形成装置は、インデックス用紙補給機能の付加に必要な手段として、補給用給紙トレイからの給紙を行う手段、補給用給紙トレイからの給紙の実行を指示する操作入力を受付けるユーザーインターフェース及びインデックス用紙の搬送制御手段を有する。
補給用給紙トレイからの給紙を行う手段は、補給時に、本来の印刷ジョブ用のインデックス用紙の給紙トレイから切り替えられる補給用給紙トレイからジャムが起きたインデックス用紙を補給する給紙動作を行う。
また、補給用給紙トレイからの給紙の実行を指示する操作入力を受付けるユーザーインターフェースは、インデックス用紙に起きたジャムをジャムの解除条件を付加して報知するとともに、ジャムの報知を行った後に当該給紙の実行を指示する操作入力を受付ける。
また、インデックス用紙の搬送制御手段は、上記給紙の実行指示を受付けたことを条件に、ジャムが起きたインデックス用紙に代えて補給用給紙トレイからの給紙を行う搬送制御を行うことで、ジャムにより狂う給紙順序を正常な順序に調整する。
なお、これら補給用給紙トレイからの給紙を行う手段、補給用給紙トレイからの給紙の実行を指示する操作入力を受付けるユーザーインターフェース及びインデックス用紙の搬送制御手段については、添付図を参照して、以下に詳細に説明する。
【００７３】
本実施形態の画像形成装置の特徴部分である、インデックス用紙補給機能が働くインデックス用紙のジャムリカバリ処理について、添付図を参照して説明する。
なお、以下に示す実施形態は、本実施形態のインデックス用紙補給機能に、上記実施形態１において必須要素とした不要インデックス用紙の自動排紙機能を複合して持つ形態にて示す。ただ、本実施形態において不要インデックス用紙の自動排紙機能は必ずしも必要としない。従って、インデックス用紙補給機能を単独で持つ形態で実施してもよい。
図５は、本実施形態に係る画像形成装置における制御系のシステム構成を示す図である。なお、同図に示す制御系は、本画像形成装置の特徴部分であるインデックス用紙補給機能が働くジャムリカバリ処理に関連するシステム構成を主に示すものである。なお、図５中に参照番号を付して示した要素において、実施形態１で示した図１と共通の要素には同一の参照番号を付している。
図５に示すように、画像形成装置１００は、用紙に画像のプリント出力をするプリンタエンジン１０１と、インターフェース１０２を通じてプリンタエンジン１０１を制御するコントローラ１０３と、コントローラ１０３と情報やデータの交換をしてユーザーインターフェースとして機能する操作パネル１３０を有する。
【００７４】
プリンタエンジン１０１は、コントローラ１０３からの印刷指示等に応じたプリント出力を行うために必要な制御機能を持つ。この制御機能は、プリント出力の制御動作の一環として、用紙の給紙及び排紙を行う用紙搬送系等との間で制御指令データや当該系の動作状態等を示す情報等の交換をする。
具体的には、プリンタエンジン１０１は、接続される複数の給紙トレイ１０４に対し、印刷指示等に従う給紙、搬送動作や異常停止等の制御指令を発し、各給紙トレイ１０４からはそれぞれで検知される用紙の給紙動作等に係る情報を受取る。また、プリンタエンジン１０１は、ジョブ用排紙トレイ１０６及び不要インデックス用紙用排紙トレイ１０５を排紙先として行う搬送、排紙動作の制御指令を発し、各排紙トレイにおいて検知される用紙の排紙動作等に係る情報を受取る。
操作パネル１３０は、ユーザーとの間で情報をやり取りするための手段として、表示手段と操作キー等を備えた操作入力手段を備え、印刷ジョブ等の処理すべきジョブに係る各種の情報やデータの入力を行うための手段である。
【００７５】
本画像形成装置１００においては、複数の給紙トレイ１０４にプリント出力に用いる用紙を格納するほか、その一部にインデックス用紙を複数組積載して格納し、これらの給紙トレイから給紙されるプリント出力された用紙とインデックス用紙とが重ね合わされる。この重ね合わせ処理は、表紙や区切り用紙等の用紙の種類に応じて行なう。
また、本画像形成装置１００では、この重ね合わせ処理の際、インデックス用紙を給紙する給紙トレイで起きる用紙ジャムに対するジャムリカバリ処理を行う。このジャムリカバリ処理は、後に詳しく述べるが、ジャムが起きて除去されるインデックス用紙の代わりに、補給用給紙トレイから補給する。また、ジャムリカバリ時に複数枚のインデックス用紙が除去され、これに伴う印刷処理を必要とする場合には、リカバリ処理の中でインデックス用紙補給機能を働かせながらプリント出力を行う。
このため、装備された１〜Ｎの給紙トレイ１０４の中、一部は受付けた印刷ジョブが正常に処理される間に給紙される用紙に用いられ、またこの外の部分はジャムリカバリ処理時に補給するインデックス用紙に用いる、例えば手差し給紙トレイとして設ける。
なお、不要インデックス用紙の自動排紙機能を用いて行うジャムリカバリ処理については、上記実施形態１で説明したので、ここでは、先の説明を参照することとして、記載をごく簡略にする。
【００７６】
コントローラ１０３は、ジャムリカバリ処理を行うための構成要素として、給紙トレイ設定変更通知手段１２５と、インデックス用紙給紙トレイ一時切り替え判定手段１２６と、インデックス用紙給紙トレイ切り替え手段１２７と、補給用給紙トレイからのインデックス用紙給紙枚数算出手段１１３と、インデックス用紙給紙トレイ復帰切り替え判定手段１１４と、印刷ジョブ用インデックス用紙給紙トレイ番号記憶手段１２１と、排紙トレイ情報記憶手段１０７と、給紙トレイ情報記憶手段１１２と、インデックス用紙排紙検知手段１１５と、ジャム解除検知手段１１６と、インデックス用紙使用時のジャム検出手段１１１と、給紙トレイ情報取得手段１１８と、印刷手段１１９と、補給用給紙トレイ番号記憶手段１２２と、補給用給紙トレイへの切り替え発生有無記憶手段１２３と、不要インデックス用紙排紙動作制御手段１２９を有する。
なお、図５の例では、画像形成装置１００全体を制御するコントローラ１０３がジャムリカバリ処理に係る動作を制御する用紙搬送制御手段等の制御手段として機能する。ただ、ジャムリカバリ処理に係る動作を制御する手段は、図５の例に示す画像形成装置１００のコントローラ１０３により構成する制御システムに限らない。例えば、給紙装置が有する制御手段の構成要素として制御システムを構成してもよいし、また、ジャムリカバリ処理に係る動作だけを行う制御手段として制御システムを構成してもよい。
【００７７】
コントローラ１０３は、制御下にあるプリンタエンジン１０１の装置状態を監視し、装置状態を表す情報を管理する。
本実施形態では、インデックス用紙の給紙に係る装置状態を監視対象として、ジャムリカバリ処理に対処する。具体的には、コントローラ１０３内の給紙トレイ情報取得手段１１８は、インターフェース１０２を通じて、給紙トレイ１０４に係る情報を給紙トレイ情報として取得し、この情報を給紙トレイ情報記憶手段１１２に格納する。
給紙トレイ情報は、給紙トレイ１〜Ｎ各々における用紙の格納の有無と、格納された用紙の用紙属性を表す情報である。
上記用紙属性は、プリント出力に用いる用紙については、サイズや材質等の紙種である。
【００７８】
他方、プリント出力に対し付加される印刷条件に従い用いるインデックス用紙の属性を表す情報は、図５の給紙トレイ情報記憶手段１１２内の「インデックス用紙格納有無」、「インデックス用紙サイクル数」、「先頭インデックス用紙番号」等の情報である。
なお、「インデックス用紙格納有無」は、格納された用紙がインデックス用紙であるか否かを示す。「インデックス用紙サイクル数」は、インデックス用紙の１セットの用紙枚数であり、後記図４の例ではタブ位置を順番に変えた５枚のタブ付きインデックス用紙が１セットとなる。また、「先頭インデックス用紙番号」は、先頭にあるインデックス用紙の順序が１セットの何番目かを示す番号である。
また、上記給紙トレイ情報の管理は、基本的には上記実施形態１と同様に行うことができる。
ただ、本実施形態においては、特に補給に用いる給紙トレイ情報を、受付けた印刷ジョブに本来用いる給紙トレイ情報と別に管理する必要がある。本実施形態では、印刷ジョブ用インデックス用紙給紙トレイ番号記憶手段１２１と、補給用給紙トレイ番号記憶手段１２２により別に管理している。
【００７９】
コントローラ１０３は、受付けた印刷ジョブの処理をプリンタエンジン１０１に指示する。この指示は、本実施形態においては、コントローラ１０３の印刷手段１１９がインターフェース１０２を通じてプリンタエンジン１０１に印刷指示を発することによる。
この印刷指示には印刷に係る各種の処理条件（以下、「印刷条件」という）が示され、インデックス用紙の使用もこの印刷条件の一つとして示される。
コントローラ１０３は、インデックス用紙の使用を印刷条件とする印刷指示を発する場合には、コントローラ１０３内のジョブ使用インデックス紙給紙トレイ番号記憶手段１２１に使用するインデックス用紙を給紙する給紙トレイ番号を記憶する。また、リカバリ処理の過程で行うインデックス用紙の補給に用いる給紙トレイからの給紙においても同様に給紙トレイ情報を管理する。
【００８０】
また、インデックス用紙のジャムリカバリ処理に対処するために排紙側でもインデックス用紙の排紙に係る装置状態を監視対象とする。具体的には、コントローラ１０３内のインデックス用紙排紙検知手段１１５は、ジョブ用排紙トレイ１０６及び不要インデックス用紙用排紙トレイ１０５に係る情報を排紙トレイ情報として取得し、この情報を排紙トレイ情報記憶手段１０７に格納する。
上記排紙トレイ情報は、各排紙トレイにおいて排紙された用紙番号や枚数の情報であり、各排紙トレイの排紙の進行を表す情報としての意味を持つ情報である。本実施形態のインデックス用紙に起きるジャムのリカバリ処理においては特に、この排紙トレイ情報に基づいて、インデックス用紙の給紙順が調整される。このため、排紙トレイ情報として、何番目の用紙番号のインデックス用紙までの出力が正常に行われ、ジョブ用排紙トレイ１０６への排紙が完了したかを表す、「排紙完了インデックス用紙番号」を取得し、排紙トレイ情報記憶手段１０７に格納する。
なお、上記排紙完了インデックス用紙番号の管理は、上記実施形態１と同様に行うことができる。
【００８１】
コントローラ１０３内のインデックス用紙使用時のジャム検出手段１１１は、インデックス用紙を使用するジョブの印刷時に当該用紙に起きるジャムを検出する。
また、給紙トレイ設定変更検知手段１２５は、給紙トレイ情報記憶手段１１２に格納しているインデックス紙格納有無情報における情報が無い状態から有る状態への変化を検知する。この検知結果は、本実施形態のジャムリカバリ処理においては、ジャムを起こして除去したインデックス用紙を補給するために一時的に用いる給紙トレイ１０４の給紙動作に必要な情報としての意味を持つ。
また、ジャム解除検知手段１１６は、プリンタエンジン１０１において起きたジャムが解除されたことを検知する。
なお、インデックス紙使用時のジャム検出手段１１１は、当該画像形成装置の分野において、給紙する用紙の搬送過程で起きる用紙ジャムの検出に用いている既存の手段を適用することにより実施することができる。また、本実施形態では、ジャムを起こしたインデックス用紙の除去により、ジャム状態、即ちプリンタエンジン１０１の動作を停止させた状態が解除できる機能を有する。よって、ジャム解除検知手段１１６は、このジャム解除状態を検知する。
【００８２】
コントローラ１０３内のインデックス紙給紙トレイ一時切り替え判定手段１２６は、新規にインデックス用紙の補給用給紙トレイ（以下単に「補給用給紙トレイ」という）が設定されたか否かを判定する。
この判定は、インデックス用紙使用時のジャム検出手段１１１のジャム検出後、ジャム解除検知手段１１６のジャム解除検知までの間における、給紙トレイ設定変更検知手段１２５の検知結果により行う。即ち、上記の期間にインデックス紙格納有無情報の情報が「無い」から「有る」へ変化したことが検知される場合に、新規にインデックス用紙を給紙するトレイが設定されたと判定する。
【００８３】
ここで、上記の新規にインデックス用紙を給紙するトレイ、即ち補給用給紙トレイの設定過程を説明する。
ジャム検出手段１１１によるジャム検出後、ジャムを解除する処理が起動する。この処理は、ジャムを起こしたインデックス用紙の除去と除去したインデックス用紙番号の用紙が補給用給紙トレイとして定めた給紙トレイ１０４に用意され、補給用給紙トレイから給紙できる状態にするための処理である。
本画像形成装置１００は、ジャムを起こしたインデックス用紙を除去し、補給用給紙トレイへのインデックス用紙を格納するための手段を持っていない。よって、ユーザーがこれらの作業を行うことが、この処理を行うためには必要である。
このため、コントローラ１０３は、この処理に必要な内容の作業をユーザーが行えるよう、操作パネル１３０を通じて案内し、案内に応じて行うユーザーの作業を経て装置側の動作条件が整うことを確認する手順を実行する。
【００８４】
具体的には、コントローラ１０３は、インデックス用紙のジャム検出時に、操作パネル１３０を通じ、ジャムの解除条件を付加してジャムの発生を報知する。つまり、ジャムを報知するとともに、ジャムを解除するため、ジャムを起こした用紙の除去及び除去した用紙の新たな補給が必要となることを報知し、補給の手続きを案内する。
例えば、操作パネル１３０の表示手段に次のメッセージを示し、操作入力を案内する。「ジャムにより詰まったインデックス用紙を除去してください。ジャムの解除には除去したインデックス用紙の補給が必要です。空いている給紙トレイに用紙番号３、４、５のインデックス用紙を格納してください。」といったメッセージを表示する。なお、補給するインデックス用紙の求め方は、給用給紙トレイからのインデックス用紙給紙枚数算出手段１１３に関する後記の説明を参照されたい。
【００８５】
上記メッセージの表示後、コントローラ１０３は、ジャムを起こした用紙の除去及び除去した用紙の補給が行われたこと、即ちジャムの解除条件が満たされたことが確認できれば、補給用給紙トレイからの給紙が行える用意ができたと判断する。
そこで、コントローラ１０３は、この状況を操作パネル１３０を通じてユーザーに知らせる。また、このときの表示画面に、補給用給紙トレイからの給紙の実行を確認するための操作入力用の画面を挿入する。
補給用給紙トレイからの給紙の実行を確認するユーザーの操作入力を受け、コントローラ１０３は、ジャムの解除を認識する。
また、同時にユーザーの操作入力が行われたことを受けて、コントローラ１０３は、補給用給紙トレイの設定を実施する。なお、設定される給紙トレイは、ジャムを起こして除去したインデックス用紙の補給用給紙トレイであり、リカバリ処理の一環として、一時的に設定されるものである。
【００８６】
補給用の給紙トレイ１０４が設定されると、インデックス紙給紙トレイ一時切り替え判定手段１２６が、新規にインデックス用紙の給紙トレイ１０４が設定されたと判定する。また、この場合、インデックス用紙給紙トレイ切り替え手段１２７は、用意された補給用の給紙トレイ１０４からの給紙に切り替える。
切り替える給紙トレイは、補給用の給紙トレイ１０４が給紙トレイ情報記憶手段１１２の給紙トレイ情報に反映されていることを前提に、給紙トレイ情報のインデックス用紙格納有無情報を参照することにより特定される。補給用給紙トレイの給紙トレイ情報への反映は、操作パネル１３０を通して、装置側からユーザーへ行う指示に従って、補給用インデックス用紙が給紙トレイ１０４に格納されると、インデックス用紙格納有無情報が「無い」から「有る」へ変更されることによる。
なお、装置側からユーザーへ行う上記指示は、後述する補給するインデックス用紙
番号や枚数の指示と伴に、給紙トレイ番号を指示してもよいが、給紙トレイ番号は指示せず、未使用の任意の給紙トレイ１０４を使えるようにしてもよい。
【００８７】
上記のように、ジャムを起こして除去したインデックス用紙を補給するために新規にインデックス用紙が設定された補給用給紙トレイを一時的に用いて給紙順が調整された状態の下でリカバリ処理時の印刷が開始される。
このとき、コントローラ１０３は、設定した補給用給紙トレイ番号を補給用給紙トレイ番号記憶手段１２２に記憶し、又リカバリ処理時の印刷に用いる補給用給紙トレイへの切り替えを示す情報を補給用給紙トレイへの切り替え発生有無記憶手段１２３に記憶する。
【００８８】
また、補給用給紙トレイからのインデックス用紙給紙枚数算出手段１１３は、ジャム解除検知手段１１６によるジャムの解除検知と、補給用給紙トレイへの切り替え発生有無記憶手段１２３における切り替え「有り」の記憶を条件に、補給用紙枚数を算出する。
この補給用紙枚数の算出は、給紙トレイ情報記憶手段１１２の先頭インデックス用紙番号、インデックス用紙サイクル数及び排紙トレイ情報記憶手段１０７の排紙完了インデックス用紙番号を基に補給用給紙トレイから給紙するインデックス用紙枚数を算出する。例えば、先頭インデックス用紙番号が１、インデックス用紙サイクル数が５、最新の排紙完了インデックス用紙番号が２であれば、補給用給紙トレイからはインデックス用紙番号３、４、５を給紙する必要があり、３枚を給紙枚数として算出する。
【００８９】
コントローラ１０３は、印刷手段１１９により、上述のようにして算出された補給用紙枚数だけ補給用給紙トレイから給紙されるインデックス用紙を用いてリカバリ処理時の印刷を実行する。
このリカバリ処理時の印刷は、ジャムが解除され、補給用給紙トレイへ切り替える用意ができたことを確認して開始し、補給用給紙トレイから上記先頭インデックス用紙番号に至る枚数の給紙が行われた、つまり給紙順が調整されたことを検知することで終了する。
本実施形態では、インデックス用紙給紙トレイ復帰切り替え判定手段１１４が、算出されたインデックス用紙の給紙枚数だけ補給用給紙トレイからの給紙が完了したことを検知することで復帰の判定をする。
この復帰の判定が下される場合、インデックス用紙給紙トレイ切り替え手段１１２は、インデックス紙給紙トレイを補給用給紙トレイからジョブ使用インデックス用紙給紙トレイに切り替える。
【００９０】
また、本実施形態では、不要インデックス用紙の自動排紙機能を複合して持っているので、自動排紙機能によるリカバリ処理を行う場合の動作を説明する。
ジャム解除検知手段１１６によってジャムが解除されたことが検知され、補給用給紙トレイ切り替え発生有無記憶手段１２３に一時切り替えの発生「無い」が記憶されていた場合に、不要インデックス用紙の自動排紙機能を働かせる。
この場合、不要インデックス用紙排紙動作制御手段１２９は、給紙トレイ情報記憶手段１１２の先頭インデックス用紙番号と排紙トレイ情報記憶手段１０７の最新の排紙完了インデックス用紙番号から不要となるインデックス用紙を算出する。つまり、不要インデックス用紙排紙動作制御手段１２９は、印刷を完了して排紙されたインデックス用紙番号の次の番号のインデックス用紙がリカバリ処理後に先頭になるように、不要インデックス用紙用排紙トレイ１０５に自動排紙する。なお、不要インデックス用紙の自動排紙機能に係る制御手段は、本実施形態においては、不要インデックス用紙排紙動作制御手段１２９として簡略に示している。詳細は、実施形態１の自動排紙機能に係る制御手段を参照されたい。
【００９１】
ここで、ジャムにより狂うインデックス用紙の給紙順を調整するために装備される上記複合機能を選択して動作させることを可能とする実施形態を示す。
上記のように、インデックス用紙補給機能に複合させて不要インデックス用紙の自動排紙機能を装備してジャムにより狂うインデックス用紙の給紙順を調整できるようにしている。
この複合機能の用い方は、例えば、インデックス用紙補給機能を用いることを優先させ、ユーザーがこの機能による補給動作に必要な給紙トレイへの補給用紙の格納等を行わなかった場合、自動的に不要インデックス用紙の自動排紙機能を働かせる方法が採れる。
【００９２】
ただ、インデックス用紙を使用する印刷ジョブに対するユーザーの習熟度や使用するインデックス用紙の管理状況等によっては、二者のいずれを選ぶかを装置の管理者やユーザーに任せることが利便性を高めることに繋がる場合がある。
そこで、不要となるインデックス用紙の強制排紙を行う動作を選ぶか、又は補給用給紙トレイからの給紙を行う動作を選ぶか動作モードを選択する操作入力を操作パネルで行うことができるようにする。
【００９３】
インユーザー等によるこの動作モードの選択は、ジャムの解除時に解除条件の一つとして操作パネル１３０の表示手段の入力用画面に表示し、操作入力により確定する手法により実施する。
上記のように、ユーザー等の選択によって、インデックス用紙補給機能、不要インデックス用紙の自動排紙機能のいずれかを動作させてジャムリカバリにおいてインデックス用紙の給紙順が調整できる。このため、ユーザー等が状況に応じた動作を選択してジャムリカバリを実行することが可能になり、画像形成装置１００の利便性を高めることができる。
また、ユーザー等がジャムの発生に対応して補給用給紙トレイに新たに格納したインデックス紙が適正な用紙番号であることを、一旦不要インデックス用紙の自動排紙機能による動作により確認することができる。なお、この場合、実際に自動排紙をしないで、操作パネル１０３上で用紙番号により排紙動作を確認できるようにするとよりよい。こうした確認を行うことで、意図しない出力を防ぐことができる。
【００９４】
ところで、上記画像形成装置１００におけるコントローラ１０３は、コンピュータにより構成することができる。当該コンピュータは、ソフトウェアプログラムの命令を実行するためのＣＰＵと、ＲＯＭ、ＲＡＭ、ＮＶＲＡＭの各記憶手段をハードウェアの要素として構成する。
上記ＲＯＭは、コントローラ１０３の動作や処理を実現するために前記ＣＰＵによって使用されるプログラムやデータ等を保存するメモリである。また、上記ＲＡＭは、前記プログラムによって生成されるデータなどを一時的に保存するメモリ、或いはソフトウェアプログラムの動作に必要なデータを保存するワークメモリとして利用するメモリである。また、上記ＮＶＲＡＭは、コントローラ１０３を管理する管理情報などを保存しておく不揮発性メモリである。
コントローラ１０３をコンピュータで構成する場合、後述するインデックス用紙のジャムリカバリ処理に係る制御等を含むプリント出力動作を実行するためのプログラムや制御用データを各種の記録媒体を介して当該コンピュータにインストールする。ＣＰＵは、インストールした当該プログラムを駆動し、またインストールした制御用データを利用することで所期の制御動作を実行できる。
【００９５】
次に、コントローラ１０３が行う、インデックス用紙のジャムリカバリ処理の手順について説明する。
以下に説明する処理は、プリント出力用紙に対してインデックス用紙を重ね合わせる処理を行う印刷指示に従いプリンタエンジン１０１が動作しているときに、給紙トレイ１０４から給紙されるインデックス用紙に起きるジャムに対処するジャムリカバリ処理である。
ここでは、ジャム発生から、ジャムを起こしたインデックス用紙を除去し、インデックス用紙の除去により給紙順に生じる狂いを調整する動作を行い、印刷を実行する一連のジャムリカバリ処理手順をフロー図に基づいて説明する。
なお、以下に示す実施形態では、インデックス用紙補給機能、不要インデックス用紙の自動排紙機能を複合して持つ構成において、選択されるいずれかの機能を動作させてインデックス用紙の給紙順を調整してジャムリカバリにおける印刷を実行する例を示す。
【００９６】
図６は、本実施形態に係るインデックス用紙のジャムリカバリを伴う印刷処理手順を示すフロー図である。
図６の処理フローにおいて、給紙トレイ１０４から給紙されるインデックス用紙にジャムが起きると、コントローラ１０３は、先ず、インデックス用紙使用時のジャム検出手段１１１によりこのジャムの発生を検出する（ステップＳ２０１）。
また、コントローラ１０３は、このジャム検出手段１１１の検出信号に基づき、プリンタエンジン１０１の動作を停止させ、本フローによるジャムリカバリ処理を起動する。また、この処理を起動すると同時に、インデックス用紙にジャムが起き、ジャムを起こした用紙の除去が必要であることを操作パネル１３０を通じて知らせる。
ジャムを起こした用紙が除去され、除去した用紙に代わる同じ順番のインデックス用紙を給紙できる用意が整ったことが確認できれば、ジャムを解除し、停止させていたプリンタエンジン１０１を再び動作させ、印刷を行う。
【００９７】
コントローラ１０３が判断するジャムの解除条件は、インデックス用紙補給機能を用いる場合と、不要インデックス用紙の自動排紙機能を用いる場合とで同じ条件と異なる条件がある。
本実施形態では、コントローラ１０３内のジャム解除検知手段１１６によりジャムを起こした用紙が除去されたことが検知されることが、共通の解除条件である。
インデックス用紙補給機能を用いる場合、補給用給紙トレイの設定を必要とする。即ち、先に述べたように、補給用給紙トレイへジャムを起こし除去された用紙に代わり補給される用紙がユーザーの作業により格納され、補給用給紙トレイが設定され、設定された補給用給紙トレイからの給紙の実行を確認するユーザーの操作入力を必要とする。このとき、コントローラ１０３が判断するジャム解除条件は、ジャムリカバリ時にインデックス用紙の補給に用いる給紙トレイへ給紙が切り替えられていると判定することである。つまり、解除条件は、インデックス用紙給紙トレイ一時切り替え判定手段１２６が、設定された補給用給紙トレイからの給紙へ切り替わっていると判定することである。
なお、不要インデックス用紙の自動排紙機能を用いる場合、上記した共通の解除条件以外は特に必要としない。
【００９８】
図６の処理フローにおいて、コントローラ１０３は、新たにインデックス用紙が設定された給紙トレイがあるか、即ち補給用給紙トレイが設定されたか、否かにより上記のジャム解除条件の一つを確認する（ステップＳ２０２）。設定された補給用給紙トレイは、発生したジャムに応じてユーザーが特定の給紙トレイへ補給用紙を格納し、給紙トレイ情報記憶手段１１２に新たに当該給紙トレイの情報が記憶されたことにより認識でき、給紙トレイ設定変更検知手段１２５がこれを検知する。
ステップＳ２０２で新たにインデックス用紙が設定された給紙トレイがあれば（ステップＳ２０２-YES）、コントローラ１０３は、給紙トレイ設定変更検知手段１２５の検知結果を基に、当該用紙の給紙を補給用給紙トレイからの給紙に切り替える（ステップＳ２０３）。補給用給紙トレイへの切り替えは、インデックス用紙給紙トレイ一時切り替え判定手段１２６の判定結果に従い行われる。また、この判定結果は、補給用給紙トレイへの切り替え発生有無記憶手段１２３の記憶内容に反映される。
【００９９】
他方、ステップＳ２０２で新たにインデックス用紙が設定された給紙トレイがなければ（ステップＳ２０２-NO）、最終的にジャム解除ができることを確認するステップＳ２０４に移行する。
ここに、新たにインデックス用紙が設定された給紙トレイがない、という状況は、複合して備えるインデックス用紙補給機能、不要インデックス用紙の自動排紙機能の一方をユーザーが選択できる場合に、後者の自動排紙機能を選択したときがある。また、上記の２機能のうち、インデックス用紙補給機能を優先して使用するような方法を採り、補給用給紙トレイの設定にユーザーが応じない場合、所定の猶予期間を経て、設定された給紙トレイがないとみなすとするときがある。
【０１００】
ステップＳ２０２-NO又はステップＳ２０３の次に、最終的にジャムの解除ができるか否かを判断する（ステップＳ２０４）。ここでは、インデックス用紙補給機能、不要インデックス用紙の自動排紙機能の両機能に共通のジャム解除条件である、ジャムを起こした用紙が除去されたか否かを確認する。この確認は、ジャムを起こした用紙が除去されたことを検知するジャム解除検知手段１１６の検知結果に従う。
また、ここでは、最終的にジャムを解除するので、このときの解除条件には、このステップ以降に行うジャムリカバリの方法の選択をユーザーが確認し、処理の実行を指示する場合には、この実行指示も条件に加えることができる。なお、上記ジャムリカバリの方法の選択は、インデックス用紙補給機能、不要インデックス用紙の自動排紙機能の選択による。
ステップＳ２０４でジャムの解除ができない場合（ステップＳ２０４-NO）、補給用給紙トレイが設定されたか、否かを確認するステップＳ２０２に戻して、再度ジャムの解除条件を確認する処理手順を行う。
【０１０１】
他方、ステップＳ２０４でジャムの解除ができる場合（ステップＳ２０４-YES）、補給用給紙トレイへの切り替えが有るか否かを確認する（ステップＳ２０５）。この確認は、インデックス用紙給紙トレイ一時切り替え判定手段１２６の判定結果に従う。インデックス用紙給紙トレイ一時切り替え判定手段１２６の判定結果は、補給用給紙トレイへの切り替え発生有無記憶手段１２３に記憶されているので、この記憶内容を参照することにより確認できる。
ステップＳ２０５で補給用給紙トレイへの切り替えが有る場合（ステップＳ２０５-YES）、補給用給紙トレイからのインデックス用紙の給紙枚数を算出する（ステップＳ２０６）。補給用給紙トレイからのインデックス用紙給紙枚数算出手段１１３がこの給紙枚数を算出する。なお、この給紙枚数の算出方法は、図５を参照して説明した補給用給紙トレイからのインデックス用紙給紙枚数算出手段１１３の上記説明を参照されたい。
【０１０２】
次いで、コントローラ１０３は、印刷手段１１９を動作させることによって、前ステップで算出された給紙枚数のインデックス用紙を用いて印刷処理を行う（ステップＳ２０７）。なお、このとき行う印刷処理は、当該印刷ジョブの処理用に設定された本来の給紙トレイとは別に補給用給紙トレイを設定し、その補給用給紙トレイからの給紙制御に切り替えて一時的に行う。
この一時的に行う印刷処理は、前のステップＳ２０６で算出された補給する給紙枚数のインデックス用紙を用いて行うので、印刷処理の完了を確認する。
処理フローでは、補給用の設定枚数の印刷処理が完了したか否かを確認し（ステップＳ２０８）、未処理の枚数があれば（ステップＳ２０８-NO）、ステップＳ２０７に戻して完了するまで印刷処理を続ける。
【０１０３】
ステップＳ２０８で補給用の設定枚数の印刷処理が完了したことが確認できれば（ステップＳ２０８-YES）、補給用給紙トレイから元の給紙トレイである、当該印刷ジョブの処理用に設定された本来の給紙トレイの給紙制御に切り替える（ステップＳ２０９）。
次いで、前のステップＳ２０９で切り替えた本来の給紙トレイからの給紙により当該印刷ジョブの残りの印刷処理を行う（ステップＳ２１０）。
ステップＳ２１０の印刷処理を終え、ジャムリカバリを伴う印刷処理のフローを終了する。
【０１０４】
また、ステップＳ２０５で補給用給紙トレイへの切り替えがない場合（ステップＳ２０５-NO）、自動排紙機能によるジャムリカバリとして、不要インデックス用紙の排紙を行う（ステップＳ２１１）。
このとき、コントローラ１０３は、不要インデックス用紙排紙動作制御手段１２９を動作させて、ジャム後に再開する印刷処理において給紙される先頭のインデックス用紙がジャムを起こした用紙番号となるよう、不要となる用紙を強制排紙する。ここに、不要インデックス用紙用排紙トレイ１０５に排紙される用紙枚数は、“ｎ―１”枚（ｎ：１セットのインデックス用紙の枚数）である。なお、不要インデックス用紙の自動排紙機能によるジャムリカバリの処理は、実施形態１と同様に行うので、先の説明を参照されたい。
【０１０５】
不要インデックス用紙の自動排紙機能によるジャムリカバリをステップＳ２１１で行った後、コントローラ１０３は、ジャムが起きる前に行っていた当該印刷ジョブの印刷処理を再開して、印刷処理を行う（ステップＳ２１２）。
ステップＳ２１２の印刷処理を終え、ジャムリカバリを伴う印刷処理のフローを終了する。
【符号の説明】
【０１０６】
１００・・画像形成装置、１０１・・プリンタエンジン、１０２・・インターフェース、１０３・・コントローラ、１０４・・給紙トレイ、１０５・・不要インデックス用紙用排紙トレイ、１０６・・ジョブ用排紙トレイ、１０７・・排紙トレイ情報記憶手段、１０８・・自動調整要否判定手段、１０９・・インデックス用紙自動調整手段、１１０・・給紙トレイオープン検知手段、１１１・・インデックス用紙使用時のジャム検出手段、１１２・・給紙トレイ情報記憶手段、１１３・・補給用給紙トレイからのインデックス用紙給紙枚数算出手段、１１４・・インデックス用紙給紙トレイ復帰切り替え判定手段、１１５・・インデックス用紙排紙検知手段、１１６・・ジャム解除検知手段、１１８・・給紙トレイ情報取得手段、１１９・・印刷手段、１２１・・印刷ジョブ用インデックス用紙給紙トレイ番号記憶手段、１２２・・補給用給紙トレイ番号記憶手段、１２３・・補給用給紙トレイ切り替え発生有無記憶手段、１２５・・給紙トレイ設定変更検知手段、１２６・・インデックス用紙給紙トレイ一時切り替え判定手段、１２７・・インデックス用紙給紙トレイ切り替え手段、１２９・・不要インデックス用紙排紙動作制御手段、１３０・・操作パネル。
【先行技術文献】
【特許文献】
【０１０７】
【特許文献１】特開２００７−３４１９９号公報
【図１】
2014196195.tif 000003
【図２】
2014196195.tif 000004
【図３】
2014196195.tif 000005
【図４】
2014196195.tif 000006
【図５】
2014196195.tif 000007
【図６】
2014196195.tif 000008
【図７】
2014196195.tif 000009